(57)【要約】【課題】樹脂素材を含む製品の暗所黄変を防止することができる梱包装置を提供する。【解決手段】梱包装置１１は、箱１２と、製品の一端に結合されて、右壁１６に接して底板１３、前壁１４、背壁１５および上板１８で囲まれる直方体状の第１占有空間２１に嵌め込まれて箱１２内に固定される第１緩衝材と、第１緩衝材から離れて製品の他端に結合されて、左壁１７に接して底板１３、前壁１４、背壁１５および上板１８で囲まれる直方体状の第２占有空間２２に嵌め込まれて箱１２内に固定される第２緩衝材とを備え、前壁１４および背壁１５の少なくとも１つには、第１占有空間２１および第２占有空間２２に挟まれる空間２３に光を導入する開口２４が形成される。【選択図】図１
2020070043.tif 000002
【特許請求の範囲】
【請求項１】
製品を収容する直方体状の収容空間の底面を覆う底板、前記底板の前端から直立して前記収容空間の前面を覆う前壁、前記底板の後端から直立して前記収容空間の背面を覆う背壁、前記底板の右端から直立して前記収容空間の右面を覆う右壁、前記底板の左端から直立して前記収容空間の左面を覆う左壁、および、前記底板に向き合って前記収容空間の上面を覆う上板を有する箱を備え、
前記前壁および前記背壁の少なくとも１つには、前記収容空間に光を導入する開口が形成される
ことを特徴とする梱包装置。
【請求項２】
請求項１に記載の梱包装置において、前記開口は透明なフィルムで塞がれることを特徴とする梱包装置。
【請求項３】
請求項１または２に記載の梱包装置において、
収容される製品の一端に結合されて、前記底板、前記前壁、前記背壁および前記上板で囲まれ前記収容空間の一部に含まれる直方体状の第１占有空間に嵌め込まれて前記箱内に固定される第１緩衝材と、
前記第１緩衝材から離れ、収容される製品の他端に結合されて、前記底板、前記前壁、前記背壁および前記上板で囲まれ前記収容空間の一部に含まれる直方体状の第２占有空間に嵌め込まれて前記箱内に固定される第２緩衝材とを備え、
前記開口は、前記第１占有空間および前記第２占有空間に挟まれる空間に光を導入する
ことを特徴とする梱包装置。
【請求項４】
請求項３に記載の梱包装置において、前記第１緩衝材および前記第２緩衝材の少なくとも一方には、前記右壁および前記左壁に穿たれて運搬者の指を受け入れる把持用の孔から連続して、前記第１占有空間および前記第２占有空間に挟まれる空間に開口する導光路が形成されることを特徴とする梱包装置。
【請求項５】
製品を収容する直方体状の収容空間の底面を覆う底板、前記底板の前端から直立して収容空間の前面を覆う前壁、前記底板の後端から直立して収容空間の背面を覆う背壁、および、前記底板に向き合って収容空間の上面を覆う上板を有する箱と、
収容される製品の一端に結合されて、前記右壁に接して前記底板、前記前壁、前記背壁および前記上板で囲まれ前記収容空間の一部に含まれる直方体状の第１占有空間に嵌め込まれて前記箱内に固定される第１緩衝材と、
前記第１緩衝材から離れ、収容される製品の他端に結合されて、前記左壁に接して前記底板、前記前壁、前記背壁および前記上板で囲まれ前記収容空間の一部に含まれる直方体状の第２占有空間に嵌め込まれて前記箱内に固定される第２緩衝材と、
前記第１占有空間および前記第２占有空間に挟まれる空間に配置される光源と
を備えることを特徴とする梱包装置。
【発明の詳細な説明】
【技術分野】
【０００１】
本発明は、空気調和機の室内機、パソコンその他の樹脂製筐体を備える製品を収納する箱を含む梱包装置に関する。
【背景技術】
【０００２】
特許文献１は、空気調和機の室内機の運搬にあたって用いられる梱包装置を開示する。梱包装置は、室内機を収容する紙製の箱を備える。箱は筒状で、その両端は箱内で室内機を固定する緩衝材で塞がれる。緩衝材には、運搬者の指を受け入れる把持用の凹部が設けられる。箱内では暗所が確立される。
【先行技術文献】
【特許文献】
【０００３】
【特許文献１】特開２００９−５２８５０号公報
【発明の概要】
【発明が解決しようとする課題】
【０００４】
空気調和機の室内機は例えばＡＢＳ（アクリロニトリルブタジエンスチレン）、ＰＳ等の樹脂成型品の筐体を備える。樹脂成型品の表面の色は、しばしば暗所で黄変する（暗所黄変）。暗所黄変を防止する手段が模索される。
【０００５】
本発明は、樹脂素材を含む製品の暗所黄変を防止することができる梱包装置を提供することを目的とする。
【課題を解決するための手段】
【０００６】
本発明の第１形態は、製品を収容する直方体状の収容空間の底面を覆う底板、前記底板の前端から直立して前記収容空間の前面を覆う前壁、前記底板の後端から直立して前記収容空間の背面を覆う背壁、前記底板の右端から直立して前記収容空間の右面を覆う右壁、前記底板の左端から直立して前記収容空間の左面を覆う左壁、および、前記底板に向き合って前記収容空間の上面を覆う上板を有する箱を備え、前記前壁および前記背壁の少なくとも１つには、前記収容空間に光を導入する開口が形成される梱包装置に関する。
【０００７】
箱周囲の光は、前壁や背壁に穿たれる開口から箱内の製品に届くことができる。光が供給されることで、製品に利用される樹脂材の黄変を防止することができる。箱が上下方向に積み重ねられても、少なくとも前壁および背壁の一方から箱内に光が導入されることから、積み重ねて保管されている場合でも、黄変を防止することができる。
【０００８】
さらなる実施態様として、前記開口は透明なフィルムで塞がれればよい。開口はフィルムで塞がれるので、開口から箱内の空間に向かって塵埃の進入は防止されることができる。箱内の空間は清浄に保たれることができる。フィルムは透明なので、箱内の空間に向かって光の進入は妨げられずに済む。
【０００９】
他の実施態様として、製品の一端に結合されて、前記底板、前記前壁、前記背壁および前記上板で囲まれ前記収容空間の一部に含まれる直方体状の第１占有空間に嵌め込まれて前記箱内に固定される第１緩衝材と、前記第１緩衝材から離れ、収容される製品の他端に結合されて、前記底板、前記前壁、前記背壁および前記上板で囲まれ前記収容空間の一部に含まれる直方体状の第２占有空間に嵌め込まれて前記箱内に固定される第２緩衝材とを備えてもよい。前記開口は、前記第１占有空間および前記第２占有空間に挟まれる空間に光を導入するものであればよい。緩衝材に遮られることなく箱内の空間に光は進入することができる。
【００１０】
前記箱は、前記底板の右端から直立して前記収容空間の右面および第１緩衝材を覆う右壁、および前記底板の左端から直立して前記収容空間の左面および第２緩衝材を覆う左壁を備え、前記第１緩衝材および前記第２緩衝材の少なくとも一方には、前記右壁および前記左壁に穿たれて運搬者の指を受け入れる把持用の孔から連続して、前記第１占有空間および前記第２占有空間に挟まれる空間に開口する導光路が形成されてもよい。箱周囲の光は、少なくとも前壁または背壁に穿たれる開口から箱内の製品に届くだけでなく、右壁および左壁からも第１緩衝材および第２緩衝材に邪魔されずに箱内の製品に届くことができる。保管時に梱包装置が並べられて前壁および背壁が塞がれても、右壁および左壁から光は箱内の空間に導入されることができる。
【００１１】
本発明の第２形態は、製品を収容する直方体状の収容空間の底面を覆う底板、前記底板の前端から直立して収容空間の前面を覆う前壁、前記底板の後端から直立して収容空間の背面を覆う背壁、および、前記底板に向き合って収容空間の上面を覆う上板を有する箱と、製品の一端に結合されて、前記右壁に接して前記底板、前記前壁、前記背壁および前記上板で囲まれ前記収容空間の一部に含まれる直方体状の第１占有空間に嵌め込まれて前記箱内に固定される第１緩衝材と、前記第１緩衝材から離れ、収容される製品の他端に結合されて、前記左壁に接して前記底板、前記前壁、前記背壁および前記上板で囲まれ前記収容空間の一部に含まれる直方体状の第２占有空間に嵌め込まれて前記箱内に固定される第２緩衝材と、前記第１占有空間および前記第２占有空間に挟まれる空間に配置される光源とを備える梱包装置に関する。
【００１２】
箱内の製品は光源から出射される光に曝されることができる。光の供給に応じて、製品に利用される樹脂材の黄変は防止されることができる。複数の箱が近接するように保管されても、収容空間に光が出射されることから、保管時に生じる黄変を防止することができる。
【発明の効果】
【００１３】
以上のように開示の装置によれば、樹脂素材を含む製品の暗所黄変を防止することができる梱包装置は提供される。
【図面の簡単な説明】
【００１４】
【図１】正面から観察される第１実施形態に係る梱包装置の斜視図である。
【図２】背面から観察される梱包装置の斜視図である。
【図３】開放された状態の箱を概略的に示す斜視図である。
【図４】図１の４−４線に沿った梱包装置の一部の拡大水平断面図である。
【図５】梱包装置に梱包された空気調和機の室内機を概略的に示す正面図である。
【図６】図１に対応し、第１実施形態の変形例に係る梱包装置の斜視図である。
【図７】図４に対応し、梱包装置内に形成される導光路を概略的に示す拡大水平断面図である。
【図８】図３に対応し、第２実施形態に係る梱包装置で開放された箱を概略的に示す斜視図である。
【発明を実施するための形態】
【００１５】
以下、添付図面を参照しつつ本発明の実施形態を説明する。以下の説明中、上下、前後および左右の各方向は三次元空間内で相対的に方向を示すものであって個別の製品の上下、前後および左右に必ずしも拘束されない。
【００１６】
図１および図２は本発明の第１実施形態に係る梱包装置１１の外観を概略的に示す。梱包装置１１は段ボール製（紙製）の箱１２を備える。箱１２の素材は紙に限るものではなく、プラスチック製であってもよい。箱１２は、直方体状の収容空間Ａの底面を覆う底板１３と、底板１３の前端から直立して収容空間Ａの前面を覆う前壁１４と、底板１３の後端から直立して収容空間Ａの背面を覆う背壁１５と、底板１３の右端から直立して収容空間Ａの右面を覆う右壁１６と、底板１３の左端から直立して収容空間Ａの左面を覆う左壁１７と、および、底板１３に向き合って収容空間Ａの上面を覆う上板１８とを有する。右壁１６および左壁１７には運搬者の指を受け入れる把持用の孔１９（左壁１７のみ図示される）がそれぞれ穿たれる。把持用の孔１９は、例えば前壁１４および背壁１５から等距離であって底板１３よりも上板１８に近い位置に配置される。梱包装置１１は箱状あるいは筒状であればよく、断面が６角形であるなど、前壁や背壁が底板に対して直立していなくともよい。
【００１７】
収容空間Ａは、以下で説明する第１占有空間２１と、第２占有空間２２と、閉鎖空間２３とを含む。第１占有空間２１は、右壁１６に接して底板１３、前壁１４、背壁１５、上板１８で囲まれる直方体状の空間である。第２占有空間２２は、左壁１６に接して底板１３、前壁１４、背壁１５、上板１８で囲まれる直方体状の空間である。閉鎖空間２３は、箱１２内で、第１占有空間２１および第２占有空間２２の間に区画される直方体状の空間である。前壁１４および背壁１５には、閉鎖空間２３に光を導入する開口２４が形成される。
【００１８】
図３に示されるように、底板１３は、前壁１４の下端に稜線で連続する前下板片２５と、背壁１５の下端に稜線で連続する後下板片２６と、右壁１６の下端に稜線で連続する右下板片２７と、左壁１７の下端に稜線で連続する左下板片２８とを含む。右下板片２７および左下板片２８が収容空間Ａに接する位置に稜線から内側に折り曲げられた後に、前下板片２５および後下板片２６は収容空間Ａに接する位置まで稜線から内側に折り曲げられる。前下板片２５の縁と後下板片２６の縁とは、収容空間Ａ側で、前壁１４および背壁１５の中間位置で突き合わせられる。この状態で前板片１４および後板片１５は例えば粘着テープで相互に結合される。こうして底板１３は形成される。
【００１９】
上板１８は、前壁１４の上端に稜線で連続する前上板片３１と、背壁１５の上端に稜線で連続する後上板片３２と、右壁１６の上端に稜線で連続する右上板片３３と、左壁１７の上端に稜線で連続する左上板片３４とを含む。右上板片３３および左上板片３４が収容空間Ａに接する位置に稜線から内側に折り曲げられた後に、前上板片３１および後上板片３２は収容空間Ａに接する位置まで稜線から内側に折り曲げられる。前上板片３１の縁と後上板片３２の縁とは、収容空間Ａ側で、前壁１４および背壁１５の中間位置で突き合わせられる。この状態で前上板片３１および後上板片３２は例えば粘着テープで相互に結合される。こうして上板１８は形成される。
【００２０】
梱包装置１１は、第１占有空間２１に嵌め込まれて箱１２内に固定される第１緩衝材３５を備える。第１緩衝材３５は、右壁１６の内壁面に接しながら、底板１３、前壁１４、背壁１５および上板１８に囲まれる。第１緩衝材３５は、底板１３、前壁１４、背壁１５および右上板片３３との接触圧に応じて箱１２内に着脱自在に配置される。第１緩衝材３５には、閉鎖空間２３から連続して収容される製品の第１端の形状をかたどる窪みが形成される。したがって、製品の第１端には着脱自在に第１緩衝材３５は結合されることができる。第１緩衝材３５は、底板１３、前壁１４、背壁１５、上板１８および右壁１６に接触させずに製品の第１端を保持する。第１占有空間２１は第１緩衝材３５の形状に応じて設定されればよい。第１占有空間２１は第１緩衝材３５に外接する最小の直方体として設定されればよい。
【００２１】
梱包装置１１は、第２占有空間２２に嵌め込まれて箱１２内に固定される第２緩衝材３６を備える。第２緩衝材３６は、左壁１７の内壁面に接しながら、底板１３、前壁１４、背壁１５および上板１８に囲まれる。第２緩衝材３６は、底板１３、前壁１４、背壁１５および左上板片３４との接触圧に応じて箱１２内に着脱自在に配置される。第２緩衝材３６には、閉鎖空間２３から連続して収容される製品の第２端の形状をかたどる窪みが形成される。したがって、製品の第２端には着脱自在に第２緩衝材３６は結合されることができる。第２緩衝材３６は、底板１３、前壁１４、背壁１５、上板１８および左壁１７に非接触に製品の第２端を保持する。第２占有空間２２は第２緩衝材３６の形状に応じて設定されればよい。第２占有空間２２は第２緩衝材３６に外接する最小の直方体として設定されればよい。製品の第１端の反対側を、第２端とする。第１端に第１緩衝材３５が結合され、第２端に第２緩衝材３６が結合されると、製品は第１緩衝材３５および第２緩衝材３６に挟まれる。第１緩衝材３５および第２緩衝材３６の働きで製品は箱１２に対しての相対的な位置が変位しないように箱１２内に保持される。
【００２２】
図４に示されるように、第１緩衝材３５および第２緩衝材３６には、対応する把持用の孔１９から連続する受け入れ溝３７が形成される。受け入れ溝３７に運搬者の指は受け入れられる。受け入れ溝３７は把持用の孔１９を塞ぐ。閉鎖空間２３から把持用の孔１９は隔てられる。
【００２３】
なお、箱を筒状とし、その両端を箱内で製品を保持する緩衝材で塞ぐようにしてもよい。その場合には右壁１６および左壁１７は、第１緩衝材３５および第２緩衝材３６で構成される。右壁１６および左壁１７が緩衝材で構成されるため、梱包装置の両側面は第１緩衝材３５および第２緩衝材３６が露出する。
【００２４】
次に本実施形態の作用を説明する。梱包にあたって、図５に示されるように、収容される製品としての空気調和機の室内機ＡＣには、第１緩衝材３５および第２緩衝材３６が結合される。室内機ＡＣの外形は、第１端および第２端を底面とする角柱である。第１緩衝材３５の窪みに室内機ＡＣの第１端（一端）は嵌め込まれる。第２緩衝材３６の窪みに室内機ＡＣの第２端（他端）は嵌め込まれる。このとき、第１緩衝材３５の外面となる右側面から第２緩衝材３６の外面となる左側面までの距離は箱１２内の収容空間Ａの長さに相当する。
【００２５】
箱１２は事前に組み立てられる。右下板片２７および左下板片２８が収容空間Ａに接する位置に稜線から内側に折り曲げられた後に、前下板片２５および後下板片２６は収容空間Ａに接する位置まで稜線から内側に折り曲げられる。この状態で前板片１４および後板片１５は例えば粘着テープで相互に結合される。第１緩衝材３５と第２緩衝材３６が結合された室内機ＡＣは箱１２内に挿入される。第１緩衝材３５は収容空間Ａの第１占有空間２１に嵌め込まれる。第２緩衝材３６は収容空間Ａの第２占有空間２２に嵌め込まれる。こうして室内機ＡＣは箱１２内に配置される。閉鎖空間では室内機ＡＣの周囲に開口２４から光が進入する。
【００２６】
箱１２は閉じられる。右上板片３３および左上板片３４が収容空間Ａに接する位置に稜線から内側に折り曲げられた後に、前上板片３１および後上板片３２は収容空間Ａに接する位置まで稜線から内側に折り曲げられる。この状態で前上板片３１および後上板片３２は例えば粘着テープで相互に結合される。閉鎖空間２３では光の進入は維持される。
【００２７】
箱１２周囲の光は、前壁１４および背壁１５に穿たれる開口２４から箱１２内の室内機ＡＣに届くことができる。光の供給に応じて、室内機ＡＣに利用される樹脂材（筐体）の黄変は防止される。箱１２が上下方向に積み重ねられても、前壁１４あるいは背壁１５から箱１２内に光は導入されることから、保管時に室内機ＡＣに使用される樹脂材（筐体）に生じる黄変を防止することができる。
【００２８】
図６に示されるように、前壁１４および背壁１５の外面には開口２４を塞ぐ透明なフィルム３８が取り付けられてもよい。フィルム３８は例えば前壁１４および背壁１５の外面に接着されればよい。開口２４はフィルム３８で塞がれるので、開口２４から箱１２内の空間に向かって塵埃の進入は防止される。箱１２内の空間は清浄に保たれる。フィルム３８は透明なので、箱１２内の空間に向かって光の進入は妨げられずに済む。
【００２９】
図７に示されるように、第１緩衝材３５および第２緩衝材３６には、把持用の孔１９から連続して閉鎖空間２３に開口する導光路３９が形成されてもよい。導光路３９は、右壁１６および左壁１７に平行に前壁１４および背壁１５の少なくとも一方に向かって延びる第１路３９ａと、第１路３９ａの先端から前壁１４または背壁１５に平行に閉鎖空間２３まで延びる第２路３９ｂとを含む。導光路３９は受け入れ溝３７に接続される。第１路３９ａおよび第２路３９ｂは、製品（室内機ＡＣ）の第１端（または第２端）を保持する窪み４１の内面に形成される溝で構成される。
【００３０】
第１路３９ａには、製品（室内機ＡＣ）の側面に固着されて、把持用の孔１９に向き合わせられる山形の鏡面４２が配置されてもよい。鏡面は、右壁１６や左壁１７の表面に対して垂直方向に進入する光を右壁１６または左壁１７の内面に平行に反射することができる。こうして把持用の孔１９から第１路３９ａに進入する光は増量されることができる。同様に、第１路３９ａおよび第２路３９ｂの間には、右壁１６または左壁１７の内面に平行な光を前壁１４または背壁１５の内面に平行に反射する鏡面が形成されてもよい。
【００３１】
箱１２周囲の光は、前壁１４および背壁１５に穿たれる開口２４から箱１２内の室内機ＡＣに届くだけでなく、右壁および左壁からも第１緩衝材３５および第２緩衝材３６に邪魔されずに箱１２内の室内機ＡＣに届くことができる。保管時に梱包装置１１が並べられて前壁１４および背壁１５が塞がれても、右壁１６および左壁１７から光は箱１２内の空間に導入される。
【００３２】
図８は本発明の第２実施形態に係る梱包装置５１の構造を概略的に示す。梱包装置５１は例えば段ボール製（紙製）の箱１２を備える。箱１２は、前述と同様に、底板１３、前壁１４、背壁１５、右壁１６、左壁１７および上板１８を有する。箱１２の収容空間Ａは、前述と同様に、右壁１６に接して底板１３、前壁１４、背壁１５、上板１８で囲まれる直方体状の第１占有空間２１と、左壁１６に接して底板１３、前壁１４、背壁１５、上板１８で囲まれる直方体状の第２占有空間２２とを含む。箱１２内では、第１占有空間２１および第２占有空間２２の間に直方体状の閉鎖空間２３が区画される。
【００３３】
底板１３は、前述と同様に、前下板片２５、後下板片２６、右下板片２７および左下板片２８を含む。上板１８は、前述と同様に、前上板片３１、後上板片３２、右上板片３３および左上板片３４を含む。第１占有空間２１には第１緩衝材３５が嵌め込まれる。第１緩衝材３５は、製品の第１端に結合されて箱１２内に固定される。第２占有空間２２には第１緩衝材３５から離れて第２緩衝材３６が嵌め込まれる。第２緩衝材３６は、製品の第２端に結合されて箱１２内に固定される。閉鎖空間２３には光源５２が配置される。光源５２は、例えば前壁１４の内面に固定されるＬＥＤで構成される。光源５２は例えば蓄電池を内蔵していればよく、その電力の供給に応じて発光する。
【００３４】
底板１３および上板１８が閉じられると、箱１２内の閉鎖空間２３では外側の光は遮られる。とはいえ、箱１２内の室内機ＡＣは光源５２から出射される光に曝される。光の供給に応じて、室内機ＡＣの筐体その他に利用される樹脂材の黄変は防止される。
【符号の説明】
【００３５】
１１…梱包装置１２…箱、１３…底板、１４…前壁、１５…背壁、１６…右壁、１７…左壁、１８…上板、１９…把持用の孔、２１…第１占有空間、２２…第２占有空間、２４…開口、３５…第１緩衝材、３６…第２緩衝材、３８…フィルム、３９…導光路、５１…梱包装置、５２…光源、ＡＣ…製品（室内機）。
【図１】
2020070043.tif 000003
【図２】
2020070043.tif 000004
【図３】
2020070043.tif 000005
【図４】
2020070043.tif 000006
【図５】
2020070043.tif 000007
【図６】
2020070043.tif 000008
【図７】
2020070043.tif 000009
【図８】
2020070043.tif 000010